(57)【要約】【課題】  歩き始めの子供が楽しく喜んで歩行練習や靴の着脱練習を行え、且つ、コストを抑えた靴を提供する。【解決手段】  靴１０は、靴本体１２を合成樹脂にて一体に成形する。靴本体１２をキャラクター、動物、或いは、乗り物形状に成形する。靴本体１２内にインナーブーツ５０を設けると共に、靴本体１２にループ５２若しくはフック５４を設ける。インナーブーツ５０に靴本体１２に設けたループ５２若しくはフック５４に着脱自在に取り付けられるフック５４若しくはループ５２を設ける。【選択図】          図１
2006043114.tif 000002
【特許請求の範囲】
【請求項１】
靴本体を合成樹脂にて一体に成形して成る靴において、
前記靴本体をキャラクター、動物、或いは、乗り物形状としたことを特徴とする靴。
【請求項２】
前記靴本体内にインナーブーツを設けると共に、前記靴本体にループ若しくはフックを設け、前記インナーブーツに前記靴本体に設けたループ若しくはフックに着脱自在に取り付けられるフック若しくはループを設けたことを特徴とする請求項１の靴。
【請求項３】
靴本体に取り付けられた報知手段と、
該報知手段に配線接続された蓄電池と、
歩行時の荷重によってオンするスイッチとを備え、
前記報知手段は、スイッチがオンすることで前記蓄電池より前記報知手段に給電され動作することを特徴とする靴。
【請求項４】
前記報知手段を発光ランプとしたことを特徴とする請求項３の靴。
【請求項５】
前記報知手段を音発生装置としたことを特徴とする請求項３の靴。
【発明の詳細な説明】
【技術分野】
【０００１】
本発明は、靴本体をキャラクターや動物などの形に成形すると共に、歩行時光及び音を出力する靴に関するものである。
【背景技術】
【０００２】
従来より靴に漫画等のキャラクターを施した靴、特に子供靴は既に知られている。この靴は図柄片を布帛、合成樹脂シート、皮革等によって構成し、その表面に動植物、漫画等の図柄が施されている。そして、図柄片を折り線に沿って、外折り又は内折りすることによって展開折畳み自在に構成している。これにより、図柄を図柄片の上面に起立させながら動的で、しかも立体的に出現させて子供が興味深くなるような靴を構成していた（特許文献１参照）。
【０００３】
また、踵部に圧電素子と発光素子を一体的に樹脂固めした発光パーツを内設している靴が提案されている。この靴を履いて歩行或いはジョギング等が行われると、着地或いは蹴地時のたびに、人の体重が踵部から発光パーツの圧電素子に作用して発電され、発光素子が点灯するように構成している。該発光素子は踵部後方から視認できるように取り付けられており、夜間の歩行或いはジョギング等のときに後方より発光素子の点灯を視認できるように構成している。これにより、歩行或いはジョギング時等の安全性を確保できるように構成していた（特許文献２参照）。
【０００４】
また、左足用の靴の左側の側面に磁気発生器（磁石）が取り付けられ、右足用の靴の右側の側面に磁気検知発音器を取り付けた靴が提案されている。この場合、左足用の靴を左足に、右足用の靴を右足に正しく履いた場合には、磁石と磁気検知発音器とは離間する側に位置し、左足用の靴を右足に、右足用の靴を左足に間違えて履いた場合には、磁石と磁気検知発音器とが対向するようにしている。そして、左足用の靴を右足に、右足用の靴を左足に間違えて履いた場合に音を発生させて、幼児に靴の左右の履き誤りを知らせるように構成していた（特許文献３参照）。
【０００５】
【特許文献１】特開２０００−２１７６０５号公報
【特許文献２】特開平６−２０９８０７号公報
【特許文献３】特開２０００−１４００４９号公報
【発明の開示】
【発明が解決しようとする課題】
【０００６】
しかしながら、漫画等のキャラクターに形成した靴は、図柄片を布帛、合成樹脂シート、皮革等によって構成し、その表面に動植物、漫画等の図柄を形成していた。この場合、靴を立体的に作れるものの、キャラクターを作るための部品点数が多く、靴を作るのに多大な手間がかかってしまう。このため、靴のコストが高騰してしまうという問題があった。
【０００７】
また、発光素子を備えた靴は、踵部に圧電素子と発光素子を一体的に樹脂固めした発光パーツを内設している。この圧電素子は、歩行或いはジョギング等により発電するため蓄電池が不要ではあるが、圧電素子は発電電力が微少なため短時間しか発光素子を発光させられないと言う問題があった。
【０００８】
また、幼児に靴の左右の履き誤りを知らせる靴は、左足用の靴を右足に、右足用の靴を左足に間違えて履いた場合にのみ音を発生させるものであった。このため、歩くたびに子供が音楽や、メロディー音を聞きながら履くことができる靴の開発が望まれていた。
【０００９】
本発明は、係る従来技術の課題を解決するために成されたものであり、歩き始めの子供が楽しく喜びながら歩行練習や靴の着脱練習を行え、且つ、コストを抑えた靴を提供することを目的とする。
【課題を解決するための手段】
【００１０】
本発明の靴は、靴本体を合成樹脂にて一体に成形して成るものであって、靴本体をキャラクター、動物、或いは、乗り物形状としたことを特徴とする。
【００１１】
また、請求項２の発明の靴は、上記に加えて、靴本体内にインナーブーツを設けると共に、靴本体にループ若しくはフックを設け、インナーブーツに靴本体に設けたループ若しくはフックに着脱自在に取り付けられるフック若しくはループを設けたことを特徴とする。
【００１２】
また、請求項３の発明の靴は、靴本体に取り付けられた報知手段と、この報知手段に配線接続された蓄電池と、歩行時の荷重によってオンするスイッチとを備え、報知手段は、スイッチがオンすることで蓄電池より報知手段に給電され動作することを特徴とする。
【００１３】
また、請求項４の発明の靴は、請求項３において、報知手段を発光ランプとしたことを特徴とする。
【００１４】
また、請求項５の発明の靴は、請求項３において、報知手段を音発生装置としたことを特徴とする。
【発明の効果】
【００１５】
本発明によれば、靴は、靴本体を合成樹脂にて一体に成形して成るものであって、靴本体をキャラクター、動物、或いは、乗り物形状としたので、特に子供用の靴に好適である。これにより、歩き始めの子供は楽しく喜びながら靴を履くことが可能となる。従って、歩行練習や靴の着脱練習を容易に行うことができるようになるものである。
【００１６】
また、請求項２の靴は、上記に加えて、靴本体内にインナーブーツを設けると共に、靴本体にループ若しくはフックを設け、インナーブーツに靴本体に設けたループ若しくはフックに着脱自在に取り付けられるフック若しくはループを設けたので、例えば大きい靴本体内に小さなインナーブーツを取り付けることができる。これにより、予めインナーブーツより大きな靴本体を用意しておけば、靴本体を変えなくても子供の成長に合わせてインナーブーツを変えるだけで靴を履かせることができる。従って、靴のコストを低減させることができ、極めて経済的な靴を提供することができるようになるものである。
【００１７】
また、請求項３の靴は、靴本体に取り付けられた報知手段と、この報知手段に配線接続された蓄電池と、歩行時の荷重によってオンするスイッチとを備え、報知手段は、スイッチがオンすることで蓄電池より報知手段に給電され動作するので、例えば請求項４の如く報知手段を発光ランプとすることにより、靴を履いた人が歩くたびに発光ランプを発光させることができる。これにより、例えば発光ランプの発光を喜んで楽しみながら子供は靴を履くことができる。従って、子供は靴の着脱練習や歩行練習を行うことができるようになる。
【００１８】
特に、発光ランプを複数設け、複数の発光ランプをそれぞれ数種類のパターンでリズミカルに発光させるようにすれば、子供は発光ランプの発光を好んで楽しむことができる。これにより、歩き始めの子供は自然に靴の着脱練習や歩行練習を行うことができるようになる。また、子供が歩くたびに発光ランプが発光するので、夕方や薄暗い夜道でも自転車やバイク、或いは自動車の運転者に光で報知することができる。これにより、子供が安全に歩くことができるようになる。従って、靴の利便性を極めて向上させることができるようになるものである。
【００１９】
また、請求項５の靴は、請求項３において、報知手段を音発生装置としたので、靴を履いた人が歩くたびに音発生装置から音を出力させることができる。これにより、例えば歩き始めの子供は音を聞きながら喜んで靴を履くようになる。特に、子供が好む音楽やメロディー音を音発生装置から出力させることにより、子供に音楽やメロディーを覚えさせることができる。これにより、子供は音楽の勉強なども行うことができる。従って、歩き始めの子供は音楽やメロディー音を聞きながら歩行練習や靴の着脱練習を行うことができ、更に靴の利便性を向上させることができるようになるものである。
【発明を実施するための最良の形態】
【００２０】
本発明は、歩き始めの子供の歩行や靴の着脱を容易に行えるようにすることを主な特徴とする。子供の歩行や靴の着脱を容易に行えるようにするという目的を、靴本体をキャラクター、動物、或いは、乗り物形状とすることにより実現した。
【実施例１】
【００２１】
次に、図面に基づき本発明の実施の形態を詳述する。図１は本発明の一実施例を示す靴１０の側面図、図２は同図１の靴１０に使用するインナーブーツ５０の斜視図、図３は本発明の靴１０を構成する靴本体１２とインナーブーツ５０の組み立て図をそれぞれ示している。
【００２２】
まず靴１０を子供が履く靴で説明する。靴１０は、靴本体１２とこの靴本体１２内に収納されるインナーブーツ５０とから構成されている。靴本体１２は、図１に示すように靴底１４と、この靴底１４上側に設けられた靴甲被１６とから構成されている。靴底１４は、厚さ約５ｍｍ〜１５ｍｍの発泡ウレタンゴムにて構成されている。靴底１４は、靴本体１２より僅か大きく形成されると共に、靴本体１２は靴底１４上に接着剤にて接着固定されている。
【００２３】
該靴本体１２は、子供が喜ぶ漫画やテレビなどに出てくるアニメーションのキャラクター、猫や猿、或いは、パンダや象などの動物、或いは、パトロールカーや消防車、或いは、新幹線や汽車などの乗り物の形状に形成されている。そして、靴本体１２を例えば図１に示すようにパトロールカー２０の形状に成形した場合、前部となるつま先部分１８（図中左側）に前照灯２２、靴底１４の前後左右に車輪２４、靴甲被１６上に緊急灯２６などが形成され、これらは凹凸して立体的に射出成形されている。
【００２４】
該靴本体１２は、これら前照灯２２、車輪２４、緊急灯２６などが合成樹脂の射出成形により立体的にパトロールカー２０の形に成形されている。合成樹脂としては塩化ビニールなどの弾性を有する合成樹脂が使用される。係る射出成形によりパトロールカー２０などを立体的に成形する技術については従来より周知の技術であるため詳細な説明を省略する。尚、パトロールカー２０の前照灯２２、車輪２４、緊急灯２６などを別部品で構成して、接着剤で靴甲被１６に接着しても差し支えない。この場合、前照灯２２を透明樹脂、車輪２４をゴムなどで構成すれば靴１０の商品価値を高めることができる。また、靴本体１２に、パトロールカー２０をイメージした塗装を行えば、子供の想像力も増し、更に靴１０の商品価値を高めることができる。
【００２５】
一方、前記インナーブーツ５０は、靴１０内に収納して使用するもので、図２に示すように厚さ約３ｍｍ〜５ｍｍの発泡ウレタンゴムにて構成されている。該インナーブーツ５０は、子供の足に略適合する大きさに形成されている。このインナーブーツ５０の踵部５０Ｂ（図中右側）下面には図３に示すように、踵部５０Ｂからつま先部５０Ａ（図中左側）方向に所定寸法延在してループとフックの噛み合わせによって相互に着脱自在に構成された、所謂マジックテープ（登録商標）が設けられている。即ち、インナーブーツ５０の踵部５０Ｂ下面にはマジックテープを構成するフック５４が設けられている。
【００２６】
また、インナーブーツ５０の踵部５０Ｂ下面に設けたフック５４に対応して、靴１０の靴底１４にマジックテープを構成するループ５２が設けられている。そして、図中矢印で示すように靴１０内にインナーブーツ５０を収納すると、インナーブーツ５０のフック５４と靴１０のループ５２とが相互に噛み合って、靴１０内にインナーブーツ５０が着けられる。これにより、靴１０内にインナーブーツ５０が着脱可能に取り付けられる。尚、インナーブーツ５０の踵部５０Ｂ下面にはループ５２、靴１０の靴底１４にフック５４を設けても差し支えない。
【００２７】
一方、子供は成長が早く、数ヶ月で靴が小さくなって履けなくなってしまう場合がある。そこで、靴１０より所定寸法小さいインナーブーツ５０を用意し、子供の成長に合わせてインナーブーツ５０だけを交換できるように構成している。即ち、靴１０とインナーブーツ５０とをマジックテープにて固定しているので、子供が成長したならばインナーブーツ５０だけを子供の成長に合わせた大きいものに交換すればよい。これにより、成長に合わせて靴１０を頻繁に買い換える必要もなくなるので、靴１０購入負担を軽減することができて経済的である。
【００２８】
また、略同じ大きさのインナーブーツ５０を代換え用として複数用意しておけば、靴１０が汚れた場合には、インナーブーツ５０だけ交換すれば、靴１０を履くことができる。この場合、靴１０を合成樹脂の成型品で構成しているので、インナーブーツ５０を外し、汚れを洗って拭けば、短時間で靴１０を乾かすことができる。そして、予め用意した代換え用のインナーブーツ５０を靴１０内に収納すれば直ぐに靴１０を履くことができ便利である。
【００２９】
このように、靴本体１２をキャラクター、動物、或いは、乗り物形状の内、パトロールカー２０としたので、特に子供用の靴１０に好適である。これにより、歩き始めの子供は楽しく喜んで靴１０を履くことができる。また、靴本体１２内にインナーブーツ５０を収納し、靴本体１２にループ５２若しくはフック５４を設けると共に、インナーブーツ５０に靴本体１２に設けたループ５２若しくはフック５４に着脱自在に取り付けられるフック５４若しくはループ５２を設けたので、大きい靴本体１２内に小さなインナーブーツ５０を取り付けることができる。これにより、予めインナーブーツ５０より大きな靴本体１２を用意しておけば、靴本体１２を変えなくても子供の成長に合わせてインナーブーツ５０を変えるだけで靴１０を履かせることができる。従って、靴１０のコストを低減させることができ、極めて経済的な靴１０を提供することができるようになる。
【実施例２】
【００３０】
次に、図４には本発明の他の実施例の靴１０を示している。該靴１０は、前述の実施形態と略同じ構成を有している。以下、異なる部分について説明する。尚、前述の実施の形態と同じ部分にはこれと同じ符号を付し、説明を省略する。靴１０を、図４に示すように猫３０の形状に成形されている。該靴１０の前部となるつま先部分１８（図中左側）に口３４及び鼻３５、前部近傍の上部両側に耳３３（図４、図５に図示）が形成されている。また、両耳３３の下側（靴底１４近傍）には手３１が形成されると共に、踵部１９（図中右側）に尾３６及び足３２（図６に図示）が形成され、これらは凹凸して立体的に形成されている。
【００３１】
該靴本体１２は前述同様、これらの口３４、鼻３５、耳３３、手３１、足３２、尾３６などが形成され、これらは合成樹脂の射出成形により立体的に猫３０の形に成形されている。そして、靴１０内部には前述同様のインナーブーツ（図示せず）が収納される。これにより、実施例１の靴１０同様の効果を得ることができる。尚、合成樹脂としてこの場合も塩化ビニールなどの弾性を有する合成樹脂が使用される。また、図４、図５、図６では靴１０で説明しているが、靴１０をスリッパで構成すれば、前述同様の効果の他家屋内でも使用することができ、更に靴１０の利便性を向上させることができる。
【実施例３】
【００３２】
次に、図７には本発明の他の実施例の靴１０を示している。該靴１０は、前述の実施形態と略同じ構成を有している。以下、異なる部分について説明する。尚、前述の実施の形態と同じ部分にはこれと同じ符号を付し、説明を省略する。靴１０は、図７に示すように猿４０の形状に成形されている。該靴１０の前部となるつま先部分１８（図中左側）に口４４が形成され、口４４の下に手４１（図７、図８に図示）が形成されている。また、つま先部分１８近傍の上側（靴底１４の離間側）には耳４３が両側に形成されると共に、踵部１９（図中右側）に尾４５及び足４２（図９に図示）が形成され、これらは凹凸して立体的に形成されている。
【００３３】
該靴本体１２は前述同様、これらの口４４、手４１、耳４３、足４２、尾４５などが形成され、これらは合成樹脂の射出成形により立体的に猿４０の形に成形されている。そして、靴１０内部には前述同様のインナーブーツ（図示せず）が収納される。これにより、実施例１の靴１０同様の効果を得ることができる。尚、合成樹脂としてこの場合も塩化ビニールなどの弾性を有する合成樹脂が使用される。また、図７、図８、図９では靴１０で説明しているが、靴１０をスリッパで構成すれば、前述同様の効果の他家屋内でも使用することができ、更に靴１０の利便性を向上させることができる。
【実施例４】
【００３４】
次に、図１０には本発明の他の実施例の靴１０を示している。該靴１０は、前述の実施例１と略同じ構成を有している。以下、異なる部分について説明する。尚、前述の実施の形態と同じ部分にはこれと同じ符号を付し、説明を省略する。靴１０には図１０に示すように発光装置６０が設けられている。発光装置６０は、汎用マイクロコンピュータなどからなる制御装置６４と報知手段としてＬＥＤなどで構成された発光ランプ６８とスイッチ７０と蓄電池６６とから構成されている。
【００３５】
また、靴甲被１６のつま先部分１８側を靴底１４より離間させて、靴甲被１６とインナーブーツ５０との間に空間５８を設けている。制御装置６４と蓄電池６６は、制御ボックス６２内に収納され、この制御ボックス６２が空間５８内に配設されている。制御ボックス６２は、靴甲被１６或いはインナーブーツ５０にマジックテープ或いはバンドなどにて固定されている。これにより、靴１０（インナーブーツ５０）を履いたときに制御ボックス６２が足に当たらないようになっている。尚、靴甲被１６内からインナーブーツ５０を外して制御ボックス６２を取り出せば制御ボックス６２内に設けた、蓄電池６６を交換できるようになっている。
【００３６】
スイッチ７０は、靴１０の踵部１９に配設されると共にループ５２下側（ループ５２と靴底１４との間）に配設され、歩行時の荷重（圧力）によってオン／オフするように構成されている。発光ランプ６８は、緊急灯２６の赤色ランプとして靴甲被１６に設けられると共に前照灯２２のランプ（図１０では図示していない）として設けられている。この発光ランプ６８は、緊急灯２６や前照灯２２に限らず、靴甲被１６表面や側面に子供が喜ぶキャラクターなどを表示できるように複数設けてもよい。
【００３７】
制御装置６４には発光ランプ６８、スイッチ７０及び蓄電池６６が電線（図示せず）にて配線接続されている。そして、歩行時にスイッチ７０に荷重が加わると、スイッチ７０がオンして制御装置６４は、蓄電池６６の電力で発光ランプ６８の発光を制御する。これによって、発光ランプ６８は、緊急灯２６、前照灯２２、或いは、靴甲被１６表面や側面に設けられた子供が喜ぶキャラクターなどを点灯或いは点滅させる。
【００３８】
このように、靴１０に発光ランプ６８と蓄電池６６とスイッチ７０とを設けている。そして発光ランプ６８は、歩行時の荷重によってスイッチ７０がオンされることにより、蓄電池６６から制御装置６４に給電され、制御装置６４は発光ランプ６８の発光を制御する。この場合、靴１０を履いた人が歩くたびに発光ランプ６８を発光させることができるので、子供は喜び、楽んで靴１０を履くことができる。これにより、子供は靴１０の着脱練習や歩行練習を行うことができるようになる。
【００３９】
また、制御装置６４は、複数の発光ランプ６８を数種類のパターンでリズミカルに発光させるようにしている。この場合制御装置６４は、一度スイッチ７０がオンされたら一つのパターンが終了するまで発光ランプ６８の点灯を継続すると共に、数種類のパターンをランダムに実行する。これにより、歩き始めの子供は自然に靴１０の着脱練習や歩行練習を行うことができるようになる。また、子供が歩くたびに発光ランプ６８が発光するので、夕方や薄暗い夜道でも自転車やバイク、或いは自動車の運転者に光で報知することができる。これにより、子供が安全に歩くことができる。
【実施例５】
【００４０】
次に、図１１には本発明の他の実施例の靴１０を示している。該靴１０は、前述の実施例１と略同じ構成を有している。以下、異なる部分について説明する。尚、前述の実施の形態と同じ部分にはこれと同じ符号を付し、説明を省略する。靴１０には図１１に示すように音発生装置８０（本発明の報知手段に相当）が設けられている。音発生装置８０は、汎用マイクロコンピュータなどからなる制御装置８４とスピーカー８６とスイッチ７０と蓄電池６６とから構成されている。
【００４１】
靴１０は実施例３同様、靴甲被１６のつま先部分１８側を靴底１４より所定寸法離間させて、靴甲被１６とインナーブーツ５０との間に空間５８を設けている。制御装置８４と蓄電池６６、及び、スピーカー８６は制御ボックス８２内に収納され、この制御ボックス８２を空間５８内に配設している。制御ボックス８２は、靴甲被１６或いはインナーブーツ５０にマジックテープ或いはバンドなどにて固定されている。これにより、靴１０（インナーブーツ５０）を履いたときに制御ボックス８２が足に当たらないようになっている。尚、靴甲被１６内からインナーブーツ５０を外して制御ボックス８２を取り出せば制御ボックス８２内に設けた、蓄電池６６を交換できるようになっている。
【００４２】
スイッチ７０は、靴１０の踵部１９に配設されると共にループ５２下側（ループ５２と靴底１４との間）に配設され、歩行時の荷重（圧力）によってオン／オフするように構成されている。制御装置６４には子供が好む音楽やメロディーなどが複数種類記憶されたＩＣが設けられている。制御装置８４にはスピーカー８６、スイッチ７０及び蓄電池６６などが電線（図示せず）にて配線接続されている。
【００４３】
そして、キャラクター、動物、乗り物などの形に成形された靴１０には、それらの靴１０に対応してそれらから出力される音や音楽が記憶されたＩＣがそれぞれ設けられる。詳しくは、靴の形状が漫画やテレビなどに出てくるアニメーションのキャラクターの場合は、そのキャラクターの音声、パトロールカー２０の場合は、サイレン音、猫の場合は、猫の鳴き声などをスピーカー８６から出力する。尚、音や音楽が記憶されたＩＣを交換できるようにしても差し支えない。これにより、それらの音や音楽が飽きたら音や音楽を交換することができると共に、子供の成長に合わせて音や音楽を変えることができ便利である。
【００４４】
制御装置８４は、一度スイッチ７０がオンされたら一つの音楽或いはメロディーが終了するまでスピーカー８６からの出力を継続すると共に、ＩＣに複数種類記憶された音楽或いはメロディーをランダムに実行する。そして、歩行時にスイッチ７０に荷重が加わると、スイッチ７０がオンされ制御装置８４は、蓄電池６６の電力でスピーカー８６から子供が好む音楽やメロディーなどを出力する。
【００４５】
係るスピーカー８６は、実施例２の猫３０や実施例３の猿４０の口３４、４４内に設けても差し支えない。この場合、子供が喜ぶキャラクターの口３４、４４から音を出力させることができる。これにより、臨場感あふれる音を靴１０から出力させることができる。従って、喜んで子供が靴１０を履くようになり、楽しみながら靴１０の着脱練習や歩行練習或いは音楽やメロディーを覚えることができるようになる。
【００４６】
また、靴１０には同じ音楽或いはメロディーを繰り返し実行することができるスイッチ８８を設けている。このスイッチ８８は、制御ボックス８２に取り付けられている。スイッチ８８は、蓄電池６６の交換同様に靴甲被１６内からインナーブーツ５０を外して制御ボックス８２を取り出せば、制御ボックス８２に設けたスイッチ８８を切り換えられるようになっている。これにより、歩くたびに子供の好きな同じ音楽或いはメロディーがスピーカー８６から出力されるので、子供が歩くたびに音楽やメロディーの勉強を行うことができる。
【００４７】
このように、靴１０にスピーカー８６と蓄電池６６とスイッチ７０とを設けている。そしてスピーカー８６は、歩行時の荷重によってスイッチ７０がオンされることにより、蓄電池６６より制御装置８４に給電され、制御装置８４はスピーカー８６から音を出力する。これにより、靴１０を履いた人が歩くたびに音を発生させることができる。従って、歩き始めの子供が音楽やメロディーを聞きながら靴を履く練習や歩行練習を行うことができる。
【００４８】
特に、子供が好む音楽やメロディーをスピーカー８６から出力することにより、音楽やメロディーを子供が覚えることができる。これにより、子供は音楽の勉強を行うことができる。従って、歩き始めの子供が楽しんで歩行練習や靴１０の着脱練習を行うことができ、更に靴１０の利便性を向上させることができる。
【００４９】
尚、各実施の形態では靴１０とスリッパなどの履き物で説明したが、他に長靴、運動靴、ジョギングシューズ、サンダル等の履き物であっても差し支えない。これらの長靴、運動靴、ジョギングシューズ、サンダルなを子供が履いた場合に前述同様の効果を得ることができる。また、靴１０は、アニメーションのキャラクター、猫や猿、或いは、パンダや象などの動物、或いは、パトロールカーや消防車、或いは、新幹線や汽車など乗り物の形状を挙げたが、靴１０はそれらの形状に限られるものでなく昆虫や、他の形状であっても本発明は有効である。
【００５０】
また、実施例５では、制御装置６４に子供が好む音楽やメロディーなどが複数種類記憶されたＩＣを設けたが、ＩＣには音楽やメロディーに限らず、英語、或いは、小さな子供に覚えさせられる動物（犬や猫など）、或いは、乗り物（電車や自動車、飛行機など）などの言葉を記憶させておいても差し支えない。これにより、子供が歩くたびに英語や他の言葉を覚えることができ、靴の実用効果大なるものである。
【００５１】
また、靴甲被１６とインナーブーツ５０との間に設けた空間５８内に制御ボックス６２、８２を設けたが、制御ボックス６２、８２は本発明の趣旨を逸脱しない範囲で他の場所に設けても差し支えない。また、靴１０の構造は、実施例に限らず本発明の趣旨を逸脱しない範囲で種々変更可能であることは云うまでもない。
【図面の簡単な説明】
【００５２】
【図１】本発明の一実施例を示す靴の側面図である（実施例１）。
【図２】同図１の靴に使用するインナーブーツの斜視図である。
【図３】本発明の靴を構成する靴本体とインナーブーツの組み立て図である。
【図４】本発明の一実施例を示す靴の側面図である（実施例２）。
【図５】同図４の靴の正面図である。
【図６】同図４の靴の後面図である。
【図７】本発明の一実施例を示す靴の側面図である（実施例３）。
【図８】同図７の靴の正面図である。
【図９】同図７の靴の後面図である。
【図１０】本発明の一実施例を示す報知手段（発光ランプ）を備えた靴の縦断側面図である（実施例４）。
【図１１】本発明の一実施例を示す報知手段（音発生装置）を備えた靴の縦断側面図である（実施例５）。
【符号の説明】
【００５３】
１０  靴
１２  靴本体
１４  靴底
１６  靴甲被
１８  つま先部分
１９  踵部
２０  パトロールカー
２２  前照灯
２４  車輪
２６  緊急灯
５０  インナーブーツ
５０Ａ  つま先部
５０Ｂ  踵部
５２  ループ
５４  フック
５８  空間
６０  発光装置
６２  制御ボックス
６４  制御装置
６６  蓄電池
６８  発光ランプ
７０  スイッチ
【図１】
2006043114.tif 000003
【図２】
2006043114.tif 000004
【図３】
2006043114.tif 000005
【図４】
2006043114.tif 000006
【図５】
2006043114.tif 000007
【図６】
2006043114.tif 000008
【図７】
2006043114.tif 000009
【図８】
2006043114.tif 000010
【図９】
2006043114.tif 000011
【図１０】
2006043114.tif 000012
【図１１】
2006043114.tif 000013